(57)【要約】      （修正有）【課題】３６０度回転可能な塗装ツールを提供。【解決手段】３６０度回転可能な塗装ツールであって、それらにマウントされたパッド、およびベース上の上方に突きだしたねじ切りされ、凹部またはソケットを有する部分、ソケットと係合するために一端にボールを有するハンドルを有するツール。ねじ切りされたナットはボールをソケットに結合する。タブをベースに提供し、パッドを所定位置に固定することができる。ツールは塗装速度を増大させ、ハンドルに延長ポールがマウントされた際に特に有用である。【選択図】図１
2006205056.tif 000002
【特許請求の範囲】
【請求項１】
第１面と伸張されたカップリング表面を有する第２面を有するペイント吸収部分を有するパッド、
内部に凹部のソケットを含む上方に突きだした部分を有するカップリング表面にマウントされた手段、
最初にソケットと係合するボールと伸張された中間部分を有するハンドル部分、および
ボールをソケット内に確保し、パッドの３６０度の回転を許容し、パッドを所定位置に固定することを許容する手段、を含む塗装ツール。
【請求項２】
パッドが一体の伸張されたボディを含み、カップリング表面は平行な側部を有する硬い実質的に矩形のメインボディを含み、該側部はそれぞれ内側および上方に伸びる部分であってチャンネルを形成する部分を含み、該側部の１つは切り取られた部分を有する、請求項１記載の塗装ツール。
【請求項３】
カップリング表面にマウントされた手段が、傾斜した平行なエッジ部分を含む２つの面を有する伸張された部分を含み、該エッジ部分がスライド可能にパッドカップリング表面の側部にのびるチャンネル部分と係合し、さらに１つの側部の切り取り部分と係合し、パッドをマウント手段に固定する側端部の１つの上のタブを含む、
請求項２記載の塗装ツール。  
【請求項４】
ハンドル部分の一端のボールがボールを含む、請求項１記載の塗装ツール。
【請求項５】
中間のハンドル部分がボールに一体となって成形されている部分を有する一端、それらに付着する曲線の部分、および外側の伸ばされたグリップ部分を有する、請求項１記載の塗装ツール。
【請求項６】
マウント手段が曲線部分の周囲に位置する内部にねじ切りされたナットを有し、凹部のソケットから上方に突き出たねじ切りされた部分と、ナットとねじ切りされた部分との間にマウントされたワッシャーを係合する、請求項１記載の塗装ツール。
【請求項７】
外側の伸張されたグリップ部分がハンドルの上にマウントされた形状を追随するグリッピング要素、およびハンドルの第２の末端のねじ切りされた凹部を有する、請求項５記載の塗装ツール。
【請求項８】
カップリング表面にマウントされた手段がさらに第一の隆起した部分、および第二の隆起した部分を有し、該隆起した部分のそれぞれから外側に突きだしたガイトホイールを有する、請求項１記載の塗装ツール。
【請求項９】
ボールが、間隔をおいて形成された複数のスロットを有する、請求項４記載の塗装ツール。
【請求項１０】
上方の部分がねじ切りされた外側を有し、マウント手段が内側に互いに噛み合うネジを有する、請求項１記載の塗装ツール。
【発明の詳細な説明】
【技術分野】
【０００１】
本発明の塗装ツールは、固定位置に固定されるとともに、３６０度のスイベルモードで作動することができる。スイベルモードは、塗装速度の増加を許し、延長ポールがハンドルに取り付けられる場合、特に有効である。塗装ツールは、パットペインターおよびスパッターガードローラーを包含するが、これらに限定されない。
【０００２】
先行技術においては、アプリケーターをハンドルに対して異なる固定位置に動かす機構、またはアプリケーターが多くの固定位置に移動することのできるラチェットタイプの機構を有していたが、すべては同じ垂直平面上にあった。
【０００３】
先行技術としては、ペイントパッド用の調整可能なハンドルを開示するＨｏｂｄｅｎへの特許公開２００２／０１４８０５７がある。ハンドルはパッドホルダープレートに対して多くの選択された角度で回転することができ、プレートに対して選択された角度位置でハンドルをロックするために使用することができるロックスリーブを有する。
【０００４】
Ｚｕｒａｗｉｎへの特許４，２１９，８９９は、約９０度でスイング可動にハンドルがマウントされる、ペイントサポートおよびハンドルアセンブリーを開示する。スプリングクリップは、与えられた方角にハンドルにバイアスをかけるために使用される。  さらに、特許６，３０５，０４３および６，０７３，２９８もこれに関連する。しかし、いずれの特許も３６０度回転し、塗装の速度および効率を改善する出願人のユニークな設計を開示していない。
【０００５】
発明の要約
本発明は、ユニークなスイベルモードで操作されることができるパッドペインターのような塗装ツールに関する。Ｂｒｅｎｎｅｒインターナショナル社はＷＯＲＫ  ＦＡＳＴの名称でパッドペインターを販売していた。本発明のパッドにおいては、可動範囲は３６０度まで拡張される。パッドペインターは、伸張されたプラスチック要素に取り付けられたパッド、またはハンドルカップリング要素を受容するための、側部にチャンネル要素を有するパッドプレートを有する。上部のカップリング要素は伸張されたプラスチック要素にマウントされ、中心に位置する上方へ突き出たねじ部を含んでいる。ねじ部は、突き出し要素内に、半球形状の中心部に位置するソケット継手を含んでいる。
【０００６】
ハンドルは伸張された細長い形状の上部部分、およびその一端がスロットを有するボールもしくは球で終わる曲がった部分を有する。中央の開口を有する内部にねじ切りされたキャップは、曲がった末端部分上にスライド可能にマウントされる。キャップは、ねじ切りされた上部のカップリング要素上にねじで留められ、ソケット内にボールをロックし、ソケット周囲にハンドルが回転されることを許容する。パッドペインターは任意の角で回転することができる。このスイベルモードは、塗装の速度の増加を許容する。補充および排出を容易にするために、パッドペインターには独特のタブも使用される。
【０００７】
従って、本発明の目的は新規な改善されたパッドペインターを提供することである。本発明の別の目的は、運動の範囲が拡大されたスイベルモードでハンドルを作動することができるパッドペインターを提供することである。本発明のさらなる目的は、ハンドルが固定位置に固定されることができ、また３６０度の他の位置へ回転することができる、新規な改善されたパッドペインターあるいは他の塗装ツールを提供することである。本発明のさらなる目的はハンドルにリフィルを連結し、パッドの交換を容易にする、ユニークなタブ配置を有する、新規な改善されたパッドペインターを提供することである。
【０００８】
より具体的な目的は、ハンドルが一端に、パッドがマウントされたカップリング要素の凹部のソケットジョイントと係合するボールを有し、３６０度のスイベルモード、または固定位置においてパッドペインターを操作することを可能にする、新規な改善されたパッドペインターを提供することである。
【０００９】
図面の簡潔な記述
本発明の、上記および他の目的および利点は、添付の図面を参照することによりより明確に理解される。
図１は本発明のパッドペインターの分解組立図である。
図２はパッドアセンブリーの正面の透視図である、
図３は本発明のエッジャートリマーの分解組立図である。
図４は、本発明に基づくエッジトリマ基部の透視図である。
【００１０】
ユニークなパッドペインター１０は、図２に示されるような伸張された織布または織物のパッド１１を有し、その一つの面の上に確保されたスポンジ状の基部１２を有する。プラスチック要素１３は側部チャンネル部分１６ａ、１６ｂを有し、これは接着剤１４で基部１２に一定角度で上に伸びるように固定され、一元的な構造１５を形成する。パッド構造物１５のリフィルは、適切な場合、ハンドルにマウントされることができる。
【００１１】
側面部分のうちの１つ１６ａは、１つの切り取り部分１７を有するが、側面部分１６ａおよび１６ｂは、基本的にハンドル基部またはカップリング要素１８のためのガイドとして作用する。要素１８はテーパーのエッジ１９ａおよび１９ｂを有し、それは側面部分１６ａ、１６ｂ、およびタブ２０を係合し、タブは側面部分１６ａの切り取り部分２７の上に配置される。タブ２０は、切り取り部分１７を側面部分１６ａの上に係合し、パッド構造１５とハンドルベース１８を互いに固定する
【００１２】
ハンドルベース構造１８は、それらの中心において上に伸び、それらから上に伸びる円形のねじ切りされた内部部分２２の周囲に同心的に位置する、下部の円形部分２１を形成する。上部の表面３０はプラスチック層２３、およびハンドル２６の端にボール２５を係合する、半球の凹部またはソケット２４を有する。ボール２５は、その表面の周囲に複数の緯度方向のスロット２７、切れ目のない基部２８、およびハンドル２６の曲がった部分３１に連結された切れ目のない部分２９を有する。曲がった部分３１はハンドル部分３２に連結され、フランジ３３に伸び、ついでフランジ３３から広げられた伸張された部分３４に及ぶ。賦形されたゴムハンドル３５は、部分３４上にマウントされ、ポールおよび様々な延長部分のための、内部にねじ切りされた凹部３７を有する末端部分３６で終了する。
【００１３】
内部がねじ切りされたキャップあるいはナット３８は、フランジ３３とボール２５の間に配置され、それらを所定位置に保持する。キャップ３８は内部に円形のワッシャー３９を有し、上部表面３０と係合し、パッドペインター１０を１ユニットとして所定位置に固定する。キャップ３８はゆるめられ、ハンドル３４が３６０度の全範囲内に回転することを可能にする。スイベルモードは、塗装の速度の増加を許す。このスイベルモードは、末端３６でハンドル２６に延長ポールを取り付けた時に特に有効である。正確なストロークが必要な場合、固定モードが使用される。パッドペインター１０に関して記述されたが、スイベルデザインはスパッターガード塗料ローラ、エッジャーなどにも使用することができる。先に言及された発明のさらなる利点はパッド１５の迅速な置換を許すタブ設計である。
【００１４】
操作中には、パッド構造１５はハンドルベース構造１８のテーパー状のエッジ１９ａ、１９ｂをチャンネル１６ａ、１６ｂの内に滑らせることにより、ハンドルにマウントされる。タブ２０は、切り取り部分１７と係合し、部分１５と１８を互いに固定する。ロックタブ２０は各末端に提供されることができる。その後、キャップ３８は凹部２２の上にねじ止めされ、凹部２４にハンドルボール２５をロックする。ボール２５は固定位置に固定されるか、あるいは塗装を速くするために３６０度での回転が許容される。この新規なアプローチは、先行技術の中でどこにも示されない。
【００１５】
図３は、本発明のエッジャートリマーの実施態様４０の分解組立図を示す。しかしながら、基部４２は１対のガイドホイール４１ａ、４１ｂを有し、これらはそれぞれ曲線的に隆起した部分４３ａ、４３ｂの内部で、基部４２へ回転可能にマウントされる。基部４２の側部のチャンネル部分４４ａおよび４４ｂは、スポンジパッド（図示されない）を係合する。図１の好ましい実施態様でのように、基部４２はくぼんだソケット４６を有する高くされ、ねじ切りされた部分４５を有している。ハンドル４７は、ゴムグリップ４８を有し、一の端は延長ハンドルのためにその内部がねじ切りされた開口５０を有し、他の端には切り込みのあるボールを有している。キャップまたはナット５１およびワッシャー５２はハンドルボール４９上にマウントされ、ソケット４６内のボール４９を確保し、かつ基部の回転を許容する。ねじ５３は、ねじ４５と係合し、ソケット４６中のボール４９を確保する。
【００１６】
本発明が、ある特定の実施態様に基づいて説明されたが、特許請求の範囲に記載された範囲内において種々の変更および置換をすることができ、そのような実施態様の均等物をも包含する。
【図面の簡単な説明】
【００１７】
【図１】図１は本発明のパッドペインターの分解組立図である。
【図２】図２はパッドアセンブリーの正面の透視図である。
【図３】図３は本発明のエッジャートリマーの分解組立図である。
【図４】図４は、本発明に基づくエッジトリマ基部の透視図である。
【図１】
2006205056.tif 000003
【図２】
2006205056.tif 000004
【図３】
2006205056.tif 000005
【図４】
2006205056.tif 000006
【外国語明細書】
2006205056.tif 000007
2006205056.tif 000008
2006205056.tif 000009
2006205056.tif 000010
2006205056.tif 000011
2006205056.tif 000012
2006205056.tif 000013
2006205056.tif 000014
2006205056.tif 000015
2006205056.tif 000016